(57)【特許請求の範囲】
【請求項１】
パーム果房、パーム果実、パーム粉末、パーム油、ココヤシの果実、ココナッツ油、ジャトロファの果実、植物性廃食用油、動物性廃食用油及びこれらの腐敗物の群から選ばれる１又は複数の原料を熱分解してバイオディーゼル燃料油を製造する製造システムであって、
流動砂（１１Ａ）にはアルカリ化合物と多孔質無機酸化物から選ばれる分解触媒とが混合され、破砕された原料が槽内に投入され、炉床下方から高温水蒸気が供給されることにより、流動砂（１１Ａ）が上記原料とともに流動されるとともに加熱され、上記原料が熱分解されて熱分解ガスが槽外に抽出される一方、熱分解残渣が流動砂（１１Ａ）の一部とともに槽外に排出される流動床構造の熱分解槽（１１）と、
該熱分解槽（１１）の熱分解ガスから熱分解油を凝縮する凝縮器（１３）と、
該熱分解油を蒸留して熱分解軽質油及び熱分解重質油から熱分解中質油を分離する蒸留塔（１６）と、
該分離された中質油からバイオディーゼル燃料油を得る精製器（１７）と、
を備えたことを特徴とするバイオディーゼル燃料油の製造システム。
【請求項２】
上記熱分解残渣とともに槽外に排出された流動砂（１１Ａ）の一部が焼却再生され、アルカリ化合物と分解触媒が混合されて流動床式熱分解槽（１１）に戻されるようになっている請求項１記載のバイオディーゼル燃料油の流動床式製造システム。
【請求項３】
上記精製器（１７）は、上記熱分解中質油を所定の低圧力下に水素ガスと反応させて燃料油を得る水素化精製器である請求項１記載のバイオディーゼル燃料油の流動床式製造システム。
【請求項４】
上記精製器は、上記熱分解中質油から燃料油を溶媒抽出する溶媒抽出器である請求項１記載のバイオディーゼル燃料油の流動床式製造システム。
【請求項５】
上記アルカリ性化合物は、水酸化カルシウム、酸化カルシウム、炭酸ナトリウム、水酸化ナトリウム、水酸化カリウムから選ばれる化合物である請求項１記載のバイオディーゼル燃料油の流動床式製造システム。
【請求項６】
上記分解触媒は、酸化シリコン−酸化アルミニウム、活性白土又はゼオライトから選ばれる多孔質無機酸化物である請求項１記載のバイオディーゼル燃料油の流動床式製造システム。
【発明の詳細な説明】
【技術分野】
【０００１】
本発明はバイオディーゼル燃料油の製造システムに関し、特に流動床構造の熱分解槽を採用することによって連続運転を可能とし、パーム果房などの原料を熱分解して低粘性・低流動点・高セタン価のバイオディーゼル燃料油を効率よく製造するようにしたシステムに関する。
【背景技術】
【０００２】
最近、化石燃料に代替されるバイオマスエネルギーが盛んに研究されているが、バイオマスエネルギーの中でバイオディーゼル燃料油（以下、単に「ＢＤＦ」ともいう）が、軽油代替燃料として注目されている。
【０００３】
ＢＤＦを製造する場合、動植物の油脂に、メタノールやアルカリ性化合物などを加えて６０°Ｃ〜２６０°Ｃの範囲内の温度でエステル交換反応を行わせることによりＢＤＦを製造する方法（特許文献１、特許文献２）、パーム油、大豆油、廃食物油などのオイルをエステル交換してＢＤＦを得る方法が提案されている。
【０００４】
また、植物油脂に炭酸ナトリウムや水酸化カリウムなどを添加して熱分解によって液状油を得る方法（非特許文献１）、ヒマワリ油に炭酸ナトリウムを加えて４００°Ｃ又は４２０°Ｃで熱分解して熱分解油を製造する方法（非特許文献２）、パーム油を熱分解してディーゼル燃料に近い性状の燃料油を製造する方法（非特許文献３）、油脂原料を取り除いたオイルパーム空房や油脂が搾取された果実の外皮に対し、アルカリ触媒を用いて熱分解油を得る方法（非特許文献４、非特許文献５）、が提案されている。
【０００５】
さらに、アルカリ性化合物の存在下、パーム果房、パーム果実、パーム粉末、パーム油、ココヤシの果実、ココナッツ油、ジャトロファの果実、これらの腐敗物（以下、これらを単に「原料」ともいう）の熱分解を行わせ、得られた熱分解中質油から低粘性で低流動点、かつ高セタン価の燃料油を得るようにしたバイオディーゼル燃料油の製造方法が提案されている（特許文献３）。
【０００６】
特許文献３記載のＢＤＦの製造方法（以下、単にアルカリＢＤＦ法ともいう）では得られた燃料油の粘性はエステル交換法に比して低く、流動性がよく目詰まりを起こし難いＢＤＦを製造することができる。
【０００７】
しかし、上述のアルカリＢＤＦ法では寒冷地で使用する上で依然として粘度が高く、しかも流動点（冷却時に目詰まりが起こる最低温度）が高く、実際には使用が難しいのが実情であった。
【先行技術文献】
【特許文献】
【０００８】
【特許文献１】特開２００５−２９７１５号公報
【特許文献２】特開２００８−８１７３０号公報
【特許文献３】特開２０１０−１４００号公報
【非特許文献】
【０００９】
【非特許文献１】Fuel Processing Technology, 1998年, No.57, p81-92
【非特許文献２】J.Anal. Appl. Pyrolysis, 2004,No.71, p.987-996
【非特許文献３】Energy Sources, Part A, 2008年6 月1 日, Vol.30, No.9, p.1060-1064
【非特許文献４】社団法人資源・素材学会春季大会講演集（II) 素材編，2006年, p.1-12
【非特許文献５】Energy Sources, 2000年, Vol.22, No.7, p.631-639
【発明の開示】
【発明が解決しようとする課題】
【００１０】
これに対し、本件発明者は、アルカリ性化合物及び分解触媒の存在下、パーム果房などの原料の熱分解を行わせ、得られた熱分解中質油から低粘性で低流動点、かつ高セタン価の燃料油を得るようにしたＢＤＦの製造方法及び製造装置を開発し提案するに至った（ＰＣＴ／ＪＰ２００９／０６６３４３７）。
【００１１】
上記提案のＢＤＦの製造方法では低粘性で低流動点、かつ高セタン価の燃料油を得ることができるものの、熱分解槽の構造上、連続運転をすると、槽内に大きな液面変動などがあってバッチ式で運転する必要があり、操業効率の点から、運転中に原料を投入し熱分解残渣を排出できるようにした、つまり連続運転に適したシステムが望まれていた。
【００１２】
本発明はかかる点に鑑み、連続運転によって燃料油を製造できるようにしたバイオディーゼル燃料油の製造システムを提供することを課題とする。
【課題を解決するための手段】
【００１３】
そこで、本発明に係るバイオディーゼル燃料油の製造システムは、パーム果房、パーム果実、パーム粉末、パーム油、ココヤシの果実、ココナッツ油、ジャトロファの果実、植物性廃食用油、動物性廃食用油及びこれらの腐敗物の群から選ばれる１又は複数の原料を熱分解してバイオディーゼル燃料油を製造する製造システムであって、流動砂にはアルカリ化合物と多孔質無機酸化物から選ばれる分解触媒とが混合され、破砕された原料が槽内に投入され、炉床下方から高温水蒸気が供給されることにより、流動砂が上記原料とともに流動されるとともに加熱され、上記原料が熱分解されて熱分解ガスが槽外に抽出される一方、熱分解残渣が流動砂の一部とともに槽外に排出される流動床構造の熱分解槽と、該熱分解槽の熱分解ガスから熱分解油を凝縮する凝縮器と、該熱分解油を蒸留して中質油を軽質油及び重質油から分離する蒸留塔と、該分離された中質油からバイオディーゼル燃料油を得る精製器と、を備えたことを特徴とする。
【００１４】
本発明の特徴の１つは流動床構造の熱分解槽を採用し、流動砂にアルカリ性化合物と分解触媒を混合し、パーム果房などの原料を破砕して槽内に投入し、高温水蒸気を供給して流動砂を流動させることによって原料を加熱して熱分解させる一方、熱分解残渣を流動砂の一部とともに排出するようにした点にある。
【００１５】
これにより、原料は熱分解中に熱分解槽内に投入することができ、又熱分解残渣は熱分解中に排出することができるので、システムを連続運転することができ、操業効率を大幅にアップすることができる。
【００１６】
熱分解残渣とともに槽外に排出された流動砂の一部は焼却することによって再生することができ、アルカリ化合物と分解触媒を混合して熱分解槽に戻すことができる。
【００１７】
アルカリ性化合物の存在下の熱分解によってパーム果房等からワックス留分（重質油成分）の少ない低粘性でかつ高流動性の燃料油を得ることができ、ワックス留分の残った高粘性の未分解油は（アルカリ性化合が残存しているときにはアルカリ性化合物に加えて）分解触媒の存在下に熱分解されることによってワックス留分の少ない燃料油を得ることができる。
【００１８】
その結果、燃料油の粘性及び流動点は大幅に低くなり、しかもセタン価は高くなり、寒冷地におけるバイオディーゼル燃料油の使用が可能となった。ＢＤＦはガスクロマトグラフ−質量分析（ＧＣ−ＭＳ）で分析した結果、炭素数はＣ9 〜Ｃ18が得られた。これは石油から得られる軽油（Ｃ13〜Ｃ17）に類似し、高いセタン価が確認された。
【００１９】
本発明では燃料油の原料にはパーム果房、パーム果実、パーム粉末、パーム油、ココヤシの果実、ココナッツ抽、ジャトロファの果実、植物性廃食用油、動物性廃食用油及びこれらの腐敗物を用いるが、特にパーム果房及びその腐敗物を主原料として燃料油を製造するのに適している。
【００２０】
植物性廃食用油には例えば大豆油、菜種油、ひまわり油、綿実油、胡麻油、落花生油、椿油等の植物性油脂の使用済み廃油を挙げることができ、又動物性廃食用油には牛脂、豚脂、馬脂、魚油、鯨油等の動物性油脂の使用済み廃油を挙げることができる。
【００２１】
本発明ではアルカリ性化合物及び分解触媒の存在下に熱分解を行うので、熱分解し難い原料、具体的にはパーム果房、パーム果実、パーム粉末、パーム油、ココヤシの果実、ココナッツ油、ジャトロファの果実、植物性廃食用油、動物性廃食用油の腐敗物をも原料として用いることができる。
【００２２】
また、従来は廃棄されていた廃食用油を燃料油の原料として用いることができるので、省資源の観点からも環境上の観点からも大きなメリットがあり、極めて有用である。
【００２３】
さらに、アルカリ性化合物の存在下で熱分解するので、オイルに加工されていないパーム果房、パーム果実、ココヤシの果実、ジャトロファの果実を燃料油の原料として用いることができ、しかもオイルに加工する工程を必要としないので、製造の効率が高く、低コスト化を実現できる。本発明の製造方法はオイル加工されていない原料を直接用いることができる点で、従来のＢＤＦの製造方法とは技術的に大きく相違している。
【００２４】
通常、パームの木からは果房（ＦＦＢ）の状態で採取され、このＦＦＢを蒸煮法等により処理することによりパーム果実とすることができ、さらにパーム果実を搾油し洗浄してパーム油（ＣＰＯ）を得ることができる。本発明ではパーム果房、パーム果実、ココヤシの果実、ジャトロファの果実を粗破砕して熱分解の原料として用いることができる。
【００２５】
ＦＦＢを果実に加工するときの凝縮水の量は多く、ＢＯＤ値も高いので、通常の廃水処理方法では処理が難しく、環境問題を招来し、廃棄処理がコスト高になるが、本発明ではＦＦＢを果実やパーム油に加工する前処理工程が不要となり、コストを大幅に低減でき、廃水もでないため環境面でのメリットも大きい。
【００２６】
さらに、粗破砕したＦＦＢを熱分解の原料に用いると、従来、果実やオイルに加工する際に廃棄していた部分を熱分解して有用な分解ガス、カ−ボン残渣、燃料油が得られるのでバイオディーゼル燃料油の収率も向上できる。
【００２７】
アルカリ性化合物は熱分解油のワックス留分を少なくするもので、水酸化カルシウム、酸化カルシウム、炭酸ナトリウム、水酸化ナトリウム、又は水酸化カリウムを用いることができる。
【００２８】
分解触媒の多孔質無機酸化物には重質油分（ＷＡＸ）を多量に含む未分解油を高温で分解できる触媒、具体的には安価な酸化シリコン−酸化アルミニウム、活性白土、ゼオライトの１又は複数を用いることができる。
【００２９】
熱分解中質油はそのままでは酸価（ｍｇＫＯＨ／ｇ）値が高い。そこで、本発明では熱分解中質油からバイオディーゼル燃料油を溶媒抽出する。溶媒によって不純物を除去すると適切な酸価にすることができ、又臭気も低減することができる。溶媒抽出は２回以上行ってもよい。複数回行うことにより、酸価をより改善できる。
【００３０】
上述の溶媒としては例えばメタノールやエタノールなどのアルコール類、アセトンなどのケトン類、ジメチルエーテルなどのエーテル類を挙げることができるが、抽出効果が高く、入手し易い点からもアルコール類が好ましい。
【００３１】
抽出方法は例えば熱分解中質油と溶媒とを十分に混合した後静置し、不純物を含む溶媒層を分離することにより燃料油を抽出することができる。不純物を含む溶媒は溶媒のみを蒸発させて不純物を分離し、再利用するのがよい。
【００３２】
また、溶媒抽出に代え、水素ガス添加反応によって熱分解中質油を精製するようにしてもよい。すなわち、熱分解中質油を２６０°Ｃ〜４２７°Ｃの範囲内の温度に予熱した後、水素ガスとともに反応塔に送り、反応塔で３．５ｋｇ／ｃｍ2 ・ｇ〜５６ｋｇ／ｃｍ2 ・ｇの圧力で、再生可能な金属酸化物の触媒の存在下で反応させると、色相及び酸化安定性が向上し、不純物が減少し、臭いを改善することができる。得られた燃料油から水素を分離し、水素ガスは再使用する。ジャトロファを原料とするＢＤＦの場合、水素ガス添加反応による精製の方が溶媒抽出による精製よりもＢＤＦ中の硫黄分が少なくなるので、好ましい。
【００３３】
アルカリ性化合物は原料に対して５〜１５重量％、分解触媒は未分解油に対して３〜１０重量％添加する。これによりワックス留分の少ない燃料油を得ることができ、結果的にＢＤＦの収率増に繋がる。
【００３４】
熱分解油のうち１５０°Ｃ〜３５０°Ｃの留分は空気に触れる前に蒸留塔で分解油ガス、軽質油（沸点：１５０°Ｃ）、ワックス留分を分離する。熱分解中質油は冷却後に溶媒、例えばメタノールによって不純物を抽出するが、条件は常圧、３０°Ｃ〜５９°Ｃとし、メタノールは処理すべき熱分解中質油に対して容量で１〜２倍量を接触させる。メタノールは約９５重量％再使用できる。また、溶媒抽出に代えて水素ガス添加低圧反応によって不純物を少なくすることもできる。
【００３５】
得られる熱分解油のうち、沸点１５０°Ｃ以上の中質油は、バイオディーゼル燃料（ＢＤＦ）として使用できる。本発明に係る製造方法によって得られる中質油は、セタン価が６０、目詰まり点（流動点）が−１７．５°Ｃ、硫黄分２ｐｐｍであり、自動車用ディーゼル燃料、ボイラー用燃料、発電機用燃料として極めて有用であり、大気汚染防止にも有効である。
【００３６】
植物性油脂や動物性油脂の熱分解油は酸価が高いので、変質（変色、臭気、沈殿物）しやすいが、メタノール等による溶媒抽出や水素ガス添加低圧反応を採用することにより、油質は安定し、長期保存が可能となる。
【００３７】
また、パームのＦＦＢや果実を原料とした場合の熱分解残渣は、椰子がら炭であるので、付加価値の高い粒状活性炭の原料となる。特に、熱分解残渣は燃焼させて熱分解槽や乾燥機などの熱源として使用することができるが、熱分解残渣には分解触媒やアルカリ性化合物が含まれているので、残った灰には有用なアルカリ成分が含有されており、肥料に最適である。
【図面の簡単な説明】
【００３８】
【図１】本発明に係るバイオディーゼル燃料油の製造システムの好ましい実施形態を示す概念図である。
【図２】上記実施形態における水素化精製器の１例を示す構成図である。
【発明を実施するための最良の形態】
【００３９】
以下、本発明を図面に示す具体例に基づいて詳細に説明する。図１は本発明に係るバイオディーゼル燃料油の製造システムの好ましい実施形態を示す。図において、１０はパーム果房、パーム果実、パーム粉末、パーム油、ココヤシの果実、ココナッツ油、ジャトロファの果実、植物性廃食用油、動物性廃食用油、及びこれらの腐敗物の群から選ばれる１又は複数の原料を粗破砕する破砕機である。
【００４０】
また、１１は原料を熱分解する流動床構造の熱分解槽で、炉床には流動砂１１Ａが満たされるとともに、炉床に高温水蒸気が供給されることによって流動砂１１Ａが加熱されるとともに流動され、槽底からは熱分解残渣が排出スクリューなどによって流動砂の一部とともに排出され、排出された流動砂は焼却されて再生され、生石灰と活性白土とが添加され混合されて槽内に戻されるようになっている。
【００４１】
また、１２は熱分解槽１１から熱分解ガスを抽出するサイクロン、１３は凝縮器を備えた熱分解油受槽、１４は熱分解油を凝縮した後の熱分解ガスをさらに凝縮する凝縮器、１５は軽質油と凝縮水を分離する油水分離槽、１６は熱分解油を蒸留して中質油を軽質油及び重質油から分離する蒸留塔、１７は中質油からＢＤＦを精製する精製器、１９は重質油を加熱する加熱器である。
【００４２】
ＢＤＦを製造する場合、熱風炉（図示せず）などで７００°Ｃ〜１０００°Ｃの範囲内の高温水蒸気を生成し、熱分解槽１１の槽底から槽内に供給すると、生石灰及び活性白土が混合された炉床の流動砂１１Ａが流動されるとともに加熱される。このとき、熱分解槽１１の槽内は常圧に保持する。生石灰の投入量は原料に対して５〜１５重量％とする。活性白土の添加量は未分解油に対して３〜１０重量％とする。
【００４３】
他方、パーム果房及びその腐敗物を主原料として準備する。必要に応じて、パーム果実、パーム粉末、パーム油、ココヤシの果実、ココナッツ油、ジャトロファの果実、植物性廃食用油、動物性廃食用油及びこれらの腐敗物の１又は複数を副原料として準備することができる。これらの原料を破砕機１０で粗破砕する。
【００４４】
粗破砕した原料は熱分解槽１１内に連続的（又は一定時間ごと）に所定量ずつ投入する。投入された原料は流動砂１１Ａとともに流動されながら加熱され、４００°Ｃ〜５５０°Ｃの範囲内の温度に達すると、原料は熱分解される。熱分解ガスはサイクロン１２によって熱分解槽１１から抽出され、熱分解油受槽１３の凝縮器で熱分解油が凝縮されて熱分解油受槽１３で受けられる。
【００４５】
熱分解油凝縮後の熱分解ガスは凝縮器１４に送られ、軽質油及び凝縮水がさらに凝縮され、油水分離槽１５で軽質油と凝縮水とに分離される。
【００４６】
熱分解油受槽１３の熱分解油は蒸留塔１５に送られて蒸留され、沸点１５０°Ｃ以上の中質油は沸点１５０°Ｃ以下の軽質油及びＷＡＸ分を含む重質油から分離され、精製器１７に送られ、水素ガス添加反応によって不純物が除去される。
【００４７】
熱分解中質油から不純物が除去されると、ワックス留分の少ない低粘性、低流動点で、しかも高セタン価の良質の燃料油ＢＤＦが得られる。蒸留塔１０の塔底のＷＡＸ分を含む重質油分は加熱器１９で加熱して蒸留塔１８に戻され、再度蒸留される。
【００４８】
槽底の流動砂１１Ａには熱分解残渣が付着している。この熱分解残渣は排出スクリューなどによって流動砂１１Ａの一部とともに連続的（又は一定時間ごと）に槽外に排出され、排出された流動砂１１Ａは焼却されて再生され、生石灰及び活性白土が所定量だけ混合されて熱分解槽１１の炉床に戻される。
【００４９】
図２は上記実施形態において、水素ガス添加反応によって熱分解中質油を精製する水素化精製器１７の構成の１例を示す。熱分解中質油（粗油）には水素ガスが添加され、加熱器２０で２６０°Ｃ〜４２７°Ｃの範囲内の温度、例えば４２０°Ｃに加熱された後、反応塔２１に送られる。
【００５０】
反応塔２１では熱分解中質油と水素ガスとが３．５ｋｇ／ｃｍ2 ・ｇ〜５６ｋｇ／ｃｍ2 ・ｇの圧力、再生可能な金属酸化物の触媒の存在下で反応し、色相及び酸化安定性が向上し、不純物が減少し、臭いを改善した熱分解中質油が得られる。この熱分解中質油を冷却器２２で冷却した後、分離槽２３に送って水素ガスを分離する。
【００５１】
水素ガス分離後の熱分解中質油を加熱して接触槽２４で蒸気と接触させ、蒸気は冷却して分離器２３でガスと水とに分離される。蒸気と接触された熱分解中質は冷却器２６で冷却され、ワックス留分の少ない低粘性、低流動点で、しかも高セタン価の良質の燃料油ＢＤＦが得られる。
【００５２】
なお、上記の例では精製器として水素ガス添加反応によって熱分解中質油を精製する水素化精製器１７を用いたが、溶媒抽出によって熱分解中質を精製する精製器を用いることもできる。
【００５３】
溶媒としては例えばメタノールやエタノールなどのアルコール類、アセトンなどのケトン類、ジメチルエーテルなどのエーテル類を挙げることができるが、抽出効果が高く、入手し易い点からもアルコール類が好ましい。
【００５４】
抽出方法は例えば熱分解中質油と溶媒とを十分に混合した後静置し、不純物を含む溶媒層を分離することにより燃料油を抽出することができる。不純物を含む溶媒は溶媒のみを蒸発させて不純物を分離し、再利用するのがよい。
【符号の説明】
【００５５】
１１      流動床構造の熱分解槽
１３      熱分解油受槽
１６      蒸留塔
１７      精製器
【図１】
0005707068.tif 000002
【図２】
0005707068.tif 000003